(57)【要約】【課題】薬剤揮散装置の設置場所の環境、例えば、強い日差しを浴びる窓辺や、車室のような極端に高温に曝されたり、夏場の空調がされていない密閉された室内等の室温が上昇した空間などで使用する際に、薬剤の揮散を簡便に調節でき、また薬剤の揮散を停止できる薬剤揮散装置を提供すること。【解決手段】揮発性液体を充填する液体用容器と、該容器内部の液体中に挿入される吸い上げ部材と吸い上げられた液体を揮散する薬剤揮散部及び、該液体用容器に装着するハウジングとからなり、該ハウジングに外部からキャップを操作できるキャップ挿入部と該キャップを待避保管できる保管場所とを近傍に配設することを特徴とする薬剤揮散装置。【選択図】　なし【特許請求の範囲】
【請求項１】
揮発性液体を充填する液体用容器と、該容器内部の液体中に挿入される吸い上げ部材と吸い上げられた液体を揮散する薬剤揮散部及び、該液体用容器に装着するハウジングとからなる薬剤揮散装置であって、該ハウジングに外部からキャップを操作できるキャッピング挿入部と該キャップを待避保管できる保管場所とを近傍に配設することを特徴とする薬剤揮散装置。
【請求項２】
請求項１記載のキャップが、液体用容器の薬剤揮散部を完全密閉できる嵌着タイプまたは螺着タイプであることを特徴とする薬剤揮散装置。
【請求項３】
請求項１記載のキャップが、多段引き抜き型であって、開放度が調節可能であることを特徴とする薬剤揮散装置。
【請求項４】
請求項１記載のキャップが、二重開閉に対応したワンタッチキャップであることを特徴とする薬剤揮散装置。
【発明の詳細な説明】
【０００１】
【発明が属する技術分野】
本発明は、芳香剤、脱臭剤、殺菌剤、防虫剤などの液状薬剤を揮散する薬剤揮散装置に関する。
【０００２】
【従来の技術】
従来より、居室、玄関、台所、トイレ、浴室及び車室などの芳香、消臭、殺菌、防虫を目的として芳香剤、消臭剤、殺菌剤、防虫剤を収容し、該薬剤を室内に揮散させるための種々の薬剤揮散装置が市販されている。これらの薬剤揮散装置は、キャップ或いはカバーを取り外し、薬剤揮散部や揮散面を完全に解放してしまう常時完全開放型であり、揮散調整機構（能）を持たない、または通風調整機能を持たない非コントロール型で、容器開口部より薬剤を徐々に揮散させものであり、また揮散薬剤は室内の気温により揮散率が左右される。薬剤揮散装置の設置場所によっては、強い日差しを浴びる窓辺や、車室のような極端に高温に曝されたり、夏場の空調がされていない密閉された室内等の室温が上昇した空間においても、薬剤の揮散は急速に進み、経済的に無駄であるだけでなく、必要以上に薬剤の揮散が進むと狭い空間に薬剤が充満し、使用者に不快をもたらすことになる。そこで、これらの不具合を解消すべく、キャップ又はカバーを取り外した後に、回転式やスライド方式で通風窓面積調整機能を具備させたタイプで、開放度をラフに調整可能とした開放度粗調整型の薬剤揮散装置が提案されている。例えば、外容器の底部と内容器の底部との間に弾性体を設けて、通気用の切欠きの外容器上端からの露出度を調節する芳香剤容器（特許文献３参照）、揮散部材が直接日光に当たらない構成とし、かつ揮散窓の開閉度を調整するための調整部材を具備した揮散性薬剤収容容器（特許文献４参照）、芳香剤を収容するための開放型容器の開放部に、揮散開口面積の異なる少なくとも一つの揮散孔を有する複数のシールを互いに剥離可能に重ね合わせて設け、かつ該シールの重ね合わせ方を前記揮散孔の開口面積の大きなものが容器内側になるようにして前記芳香剤の揮散量を調節可能とした芳香材（特許文献５参照）、芳香剤、防虫剤、消臭剤等の揮散性の薬剤がゲル状に形成された薬剤ゲルが、容器本体と蓋体とからなる薬剤容器に設けられた開口部から外部に揮散するように形成された揮散性薬剤の収容装置であって、収容装置の反転により薬剤の揮散量が変化する機構を備えた揮散性薬剤の収納装置（特許文献６参照）などが提案されている。
【０００３】
しかしながら、揮散部材（面）の完全密閉機能がないこと及び通風窓の密閉性が欠落しているため、揮散調整機能としては十分なものが得られず、従って、使用期間中を通して一定の香り立ち、強さが得られず、ましてや、高温時高揮散性を抑制することができないという問題があった。また、揮散部材にギャーやギャロック機構を用いてキャップをソフトにかぶせるタイプも提案されているが、非嵌着タイプ、非螺着タイプであり、密閉度は完全な状態でなく、通風度の制御は可能となるが、高温時の高自然揮散を抑制するだけの機能が得られず、持続性の点では大きな課題をかかえている。また更に、これら問題点を解消すべく、例えば、キャップのねじ込みにより、空気導入口と空気排出口の開閉をおこなうと共に、開口量の調整もできる発吸臭剤収納容器（特許文献１参照）、螺着タイプのキャップを設けて薬剤揮散量を調整した薬剤揮散装置（特許文献２参照）の提案がなされているが、極端に高温に曝された場合の高揮散性を抑制するなどの上記課題を解決するには至っておらず更なる改良が求められている。
【０００４】
【特許文献１】
実開昭５８−８６１３３号公報
【特許文献２】
実開昭５９−７９１３７号公報
【特許文献３】
実開昭６０−１４７４３４号公報
【特許文献４】
特開平５−１９２３８４号公報
【特許文献５】
実公平５−３０７６１号公報
【特許文献６】
特開平８−１９６６１２号公報
【０００５】
【発明が解決しようとする課題】
従って、本発明の目的は、薬剤揮散装置の設置場所の環境、例えば、強い日差しを浴びる窓辺や、車室のような極端に高温に曝されたり、夏場の空調がされていない密閉された室内等の室温が上昇した空間などで使用する際に、薬剤の揮散を簡便に調節でき、また薬剤の揮散を停止できる薬剤揮散装置を提供することである。
【０００６】
【課題を解決するための手段】
本発明者らは、前記課題を解決するために鋭意改良を重ねた結果、液体用容器に装着するハウジングに外部からキャップを操作できるキャッピング挿入部と該キャップを待避保管できる保管場所とを近傍に配設する薬剤揮散装置を利用することにより、上記課題を解決することを見出し本発明を完成した。
【０００７】
従って、本発明は、揮発性液体を充填する液体用容器と、該容器内部の液体中に挿入される吸い上げ部材と吸い上げられた液体を揮散する薬剤揮散部及び、該液体用容器に装着するハウジングとからなる薬剤揮散装置であって、ハウジングに外部からキャップを操作できるキャップ挿入部と該キャップを待避保管できる保管場所とを近傍に配設した薬剤の揮散調節機能と揮散停止機能を具備した薬剤揮散装置を提供するものである。
【０００８】
【発明の実施の形態】
本発明の１実施態様によれば薬剤揮散装置１の揮発性液体を充填する液体用容器２内の液体薬剤は、吸い上げ部材４を通過して薬剤揮散部６に供給され、ハウジング３の開口部１０やキャップ挿入口７より定量的に揮散されるものであり、例えば、薬剤揮散装置のキャップ挿入口７からキャップ９を取り外し、該キャップをキャップ保管口８に配設することにより液体薬剤の揮散を行い、薬剤揮散装置の設置環境が高温のため薬剤の供給、揮散が過剰となった場合や、薬剤の揮散を必要としない場合に、ハウジングのキャップ挿入口７にキャップ９を挿入し、該キャップと薬剤供給栓５とを嵌合することにより、薬剤の揮散を停止することができると共に、キャップ挿入口とキャップとの挿入度合いを調整して、薬剤供給栓とキャップとの間隔を任意にあけることにより、薬剤の揮散を好みの強さに容易に調整することもできる。
【０００９】
以下本発明の実施の１態様を図面を参照しながら詳細に説明する。図１は、本発明の薬剤揮散装置の概略の説明図であり、図２は、本発明の薬剤揮散装置の使用方法の例を示す説明図であり、図３は、本発明の特徴とする液体薬剤の揮散を任意に調整もしくは停止するためのキャップ機構を示す説明図であり、図４は、本発明の薬剤収容容器ハウジングとキャップの例を示す説明図である。
【００１０】
請求項１記載の発明によれば、図１の薬剤揮散装置１に示すように、液体用容器２に薬剤揮散部６及び吸い上げ部材４を配設する薬剤供給栓５を備え、該液体用容器に装着するハウジング３にはキャップ９を挿入するキャップ挿入口７と該キャップを保管するキャップ保管口８とを近傍に備えると共に、該ハウジングには、空気導入のため又は揮散薬剤放出のための開口部３を配設することを特徴とするものであり、液体薬剤の揮散を任意に調製もしくは停止することが、簡単なキャッピング操作のみで容易に行える。
【００１１】
さらに、図２の（Ａ）に示すように、薬剤揮散装置を使用の際には、キャップ９をハウジング３のキャップ待避保管場所として備え付けてあるキャップ保管口８に待避して、薬剤揮散部６を全開し、薬剤の揮散を行い、図２の（Ｂ）示すように、高温時や不使用時には、薬剤揮散装置を使用の際にキャップ保管口８に待避しておいたキャップ９をキャップ挿入口７に戻しキャッピングをし、該キャップと薬剤供給栓５とを嵌合して薬剤揮散部を密閉するだけの簡単な操作により薬剤の揮散が停止できる。また、キャッピングの際のキャップ挿入口とキャップとの挿入度合いを調整して、薬剤揮散部の開放度を調整することにより薬剤の揮散量をも調整することができる。
【００１２】
請求項２記載の発明によれば、本発明の特徴とする液体薬剤の揮散を任意に調整もしくは停止するためのキャップ機構として、図３の（Ａ）に示すように、ネジ式のような螺着タイプのキャップ９をハウジング３に挿入してキャッピングする簡単な操作により、該キャップと薬剤揮散栓５とを嵌合して液体用容器の薬剤揮散部を完全密閉できると共に該キャップの挿入度合いにより薬剤揮散部の開放度を調節することがてきる。
【００１３】
請求項３記載の発明によれば、本発明の特徴とする液体薬剤の揮散を任意に調整もしくは停止するためのキャップ機構として、図３の（Ｂ）及び（Ｃ）に示すように、ペンキャップ式のような嵌着タイプの多段引き抜き型のキャップ９をハウジング３に挿入してキャッピングする簡単な操作により、液体用容器の薬剤揮散部を完全密閉できると共に該キャップの挿入度合いにより薬剤揮散部の開放度を調節することができる。また、キャップ挿入口とキャップとの嵌合部の形状は、特に限定されるものではなく、さらにまた、薬剤供給栓とキャップとの嵌合部の形態も嵌着操作が容易であり、かつ、密閉性に優れているものであればいずれの形態でもよいが、例えば、薬剤揮散栓の上端の直径若しくは幅は、キャップの内径のそれよりも小さく、薬剤揮散栓の下端の直径若しくは幅は、キャップの内径のそれよりも大きい方が機密性に優れ好ましい。
【００１４】
更に、図４は本発明のハウジングとキャップ部のいくつかの実施態様を示すものであり、図４の（Ａ）は、嵌着タイプのゲート型キャップを示し、例えば、ハウジング部前面及び背面の薬剤揮散部側の開口部に凸部又は爪部を設け、さらにゲート部分の下端部又は側端にも凸部又は爪部を設けて、それらをかみ合わせることにより、薬剤揮散部の開口度を調整し揮散量を調整することができ、また、ゲート型キャップのキャップ部をキャップ保管口に待避して薬剤揮散部を全面解放することができ、不使用時には、キャップ保管口に待避してあるゲート型キャップをキャップ挿入部に戻してキャッピングすることにより液体用容器の薬剤揮散部を完全密閉できる。また、図４の（Ｂ）は、嵌着タイプまたは螺着タイプのキャップを示し、キャップ挿入口とキャップとの挿入度合いを調整し、薬剤揮散部の開放度を調整することにより液体薬剤の揮散量を任意に調整することも、また、不使用時には、キャップ保管口に待避しているキャップをキャップ挿入口に戻してキャッピングすることにより液体用容器の薬剤揮散部を完全密閉できると共に揮散薬剤の供給と揮散を停止することができる。
【００１５】
また、図４の（Ｃ）は、嵌着タイプのスライドドア方式ひも付きキャップを示し、このタイプは、キャップ保管口の代わりにキャップにひもを付け、使用時はひもによりキャップを保管し、さらにハウジングにスライドレール１１を具備しスライド式ドアを左右に移動させることにより簡単に揮散放出量の調整が可能であり、図４の（Ｄ）は、嵌着タイプのヒンジ付きのワンタッチキャップを示し、簡便なワンタッチで薬剤揮散部を解放し、はずした該キャップはヒンジ付きで近傍に待避され、いずれの場合も、不使用時には、即座にキャッピングすることにより液体用容器の薬剤揮散部を完全密閉できると共に揮散薬剤の供給と揮散を停止することができる。
【００１６】
またさらに、請求項４記載の発明によれば、図４の（Ｅ）に示すような、嵌着タイプまたは螺着タイプの二重開閉に対応したワンタッチキャップを用いた場合は、該ワンタッチキャップにより開口を一部解放し、さらにキャップ挿入口とキャップとの挿入度合いを調整することにより液体薬剤の揮散量を任意に調整することも可能であり、該キャップをキャップ保管口へ保管することにより全面開放し、不使用時においてはキャップ保管口に待避しているキャップをキャップ挿入口に戻してキャッピングすることにより液体用容器の薬剤揮散部を完全密閉できる。請求項４記載の二重開閉に対応したワンタッチキャップを使用することにより、さらに簡便に、経済的な薬剤揮散装置の使用が実現できる。その他、本発明のハウジングとキャップ部の形状としては、嵌着操作が容易であり、かつ、密閉性に優れているものであればいずれの形状でも用いることができる。
【００１７】
液体用容器の形状、材質は特に限定されず、液体薬剤を安定に収容できるものであればよく、その材質は、例えば、ポリエステル、ポリプロピレンなどの合成樹脂を例示することができる。また、ハウジングの形状、材質も特に限定されず、前記液体用容器を安定に支持できる形状であればよく、その材質は、例えば、ポリプロピレンなどの合成樹脂を例示することができる。更に、薬剤揮散部を密閉するキャップの形状、材質は特に限定されず、簡単な操作で、即座に薬剤揮散部を収容できると共に、薬剤供給栓との密閉性に優れ、液体薬剤の供給、揮散を簡単に、効果的に停止できるものであればよく、その材質は、ポリプロピレン、ポリエチレンなどの合成樹脂を例示することができる。更にまた、ハウジングの開口部の形状は特に限定されない。更にまた、薬剤揮散栓の素材は、ポリエチレン、ポリプロピレン、シリコーンゴムなどを例示することができる。
【００１８】
また、本発明の液体薬剤の吸い上げ部材としては、その形状、材質は特に限定されず、例えば、丸棒状，円柱状，偏平状などの形状を例示することができ、また、その材質は、例えば、綿、人絹、羊毛、絹などの天然繊維束、ポリエチレン、ポリプロピレン、ポリエステルなどの合成繊維束、ポリエチレン、ポリプロピレンなどの合成樹脂焼結成型体、陶製素焼材どを例示するこができる。また、薬剤供給栓としては、その形状、材質は特に限定されず、吸い上げ部材と薬剤揮散部とを安定に、定量的に接合できるものであればよく、その材質としては、特に限定されないが、例えば、ポリエチレン、ポリプロピレン、シリコーンゴムなどを例示することができる。
【００１９】
また、薬剤揮散部の素材としては、例えば、毛管体であればよく、不織布、ガーゼ、フェルト、高分子焼結体、陶製素焼体などを例示することができる。またさらに、液体薬剤としては、特に制限されるものではないが、例えば芳香剤、消臭剤、殺菌剤、防虫剤、忌避剤、誘引剤、殺虫剤、着色剤、殺菌剤、界面活性剤、溶剤などが例示され、これらの１種又は２種以上を組み合わせて使用することができる。
【００２０】
本発明の薬剤揮散装置は、室内、車内、台所、浴室トイレなどで各種芳香剤、脱臭剤、防虫剤などの液体薬剤を供給、揮散させて使用され、据え置き型の自然揮散に対応した揮散装置としてまた、エアコン吹き出し口などに取り付けて通風制御機能を発揮させる強制揮散に対応した揮散装置として利用でき、例えば、室内芳香剤、自動車用芳香剤、浴室用芳香剤、トイレ用芳香剤などの利用を例示することができる。さらに、各種液体薬剤を供給、揮散させたい時に、容易に薬剤揮散部を収容嵌合したキャップをはずし、該キャップをキャップ保管部に待避させ、液体薬剤の供給、揮散を促し、不使用時には、キャップ保管部に待避しておいたキャップをキャップ挿入口に嵌着又は螺着により挿入して、薬剤供給栓とキャップとを簡単な操作で嵌合して薬剤揮散部をキャップに密閉し、薬液剤の供給、揮散を停止させることができ、液体薬剤を効率的、経済的に使用することができる。
【００２１】
【発明の効果】
本発明によれば、薬剤揮散装置の設置場所の環境、例えば、強い日差しを浴びる窓辺や、車室のような極端に高温に曝されたり、夏場の空調がされていない密閉された室内等の室温が上昇した空間などで使用する際に、キャッピングの際のキャップ挿入口とキャップとの挿入度合いを調整すること等により薬剤揮散部の開放度を調整し、揮散薬剤の揮散量を調整すると共に、キャップと薬剤供給栓とを嵌合して薬剤揮散部を密閉するだけの簡単な操作により薬剤の揮散が停止できる。これにより、芳香剤、消臭剤などの液体薬剤を使用期間を通じて定量供給、定量揮散させることができると共に、薬剤揮散装置の使用を停止したい場合は、非常に簡便な操作により液体薬剤の供給、揮散を停止することができる薬剤供給装置を提供することができる。
【図面の簡単な説明】
【図１】本発明の薬剤揮散装置の概略を示す説明図である。
【図２】本発明の薬剤揮散装置の概略を示す説明図である。
【図３】本発明の液体薬剤の揮散を調整もしくは停止するためのキャップ機構を示す説明図である。
【図４】本発明の液体用容器ハウジングとキャップの例を示す説明図である。
【符号の説明】
１　薬剤揮散装置
２　液体用容器
３　液体用容器ハウジング（飾りカバー）
４　吸い上げ部材
５　薬剤供給栓
６　薬剤揮散部
７　キャップ挿入口
８　キャップ保管口
９　薬剤供給部のキャップ
１０　開口部
１１　スライドレール
１２　ヒンジ
【図１】
2004113290.tif 000002
【図２】
2004113290.tif 000003
【図３】
2004113290.tif 000004
【図４】
2004113290.tif 000005